(57)【特許請求の範囲】
【請求項１】
本体と、前記本体の天面に配された被加熱調理器具を載置する天板と、前記天板を下方より支持するアンダーフレームと、前記本体の側面外郭を成す側板と、前記アンダーフレームに固定され前記側板を締結する締結部と、を備え、前記アンダーフレームに前記締結部に加えて下方へ伸びる支持部を設け、前記側板は上端を内側にむかって略水平に曲げた水平部を形成し、前記水平部の端面より前記支持部が内側となるように前記天板を前記本体に取り付けるとともに、前記支持部は、前記本体側面を押し込む力を加えた場合に、前記水平部の端面と当接する加熱調理器。
【請求項２】
前記水平部には上方へ向かって折れ曲がる端部を備え、前記端部より前記支持部が内側となるようにした請求項１に記載の加熱調理器。
【請求項３】
前記支持部は先端を前記本体の下方内側に向かって曲げた請求項１または２に記載の加熱調理器。
【請求項４】
前記支持部は前記アンダーフレームと別体の支持体で構成し、前記支持体を前記アンダーフレームと接合した請求項１〜３のいずれか１項に記載の加熱調理器。
【発明の詳細な説明】
【技術分野】
【０００１】
本発明は、一般家庭の台所や業務用の厨房などで使用される、据え置き型あるいは組込型の誘導加熱調理器などの加熱調理器に関するものである。
【背景技術】
【０００２】
従来、この種の誘導加熱調理器、特に据置型の構成においては、天板の端面を覆うフレームを備え、外郭の上部端面をフレームが覆うように天板が本体外郭へ取り付けられ、外観品位を向上させるとともに、天板より流れる水を本体へ入れない構成としている（例えば特許文献１参照）。
【先行技術文献】
【特許文献】
【０００３】
【特許文献１】特開２００８−１７７０１０号公報
【発明の概要】
【発明が解決しようとする課題】
【０００４】
しかしながら、前記従来の構成では、天板と本体の取り付け部は側面よりビスで固定されているものの、ビス締め部以外の部分では、本体設置時の取り扱いや輸送時の落下衝撃などで本体外郭の上部端面近傍に外部から押し込む力が加わった場合、外郭が内側へ変形してしまい、外観品位を落とすという課題を有していた。
【０００５】
本発明は、前記従来の課題を解決するもので、本体外郭に対して側面より押し込む力を加えた場合でも、外郭が変形するのを防止できる加熱調理器を提供することを目的とする。
【課題を解決するための手段】
【０００６】
前記従来の課題を解決するために、本発明の加熱調理器は、被加熱調理器具を載置する天板の下方より支持するアンダーフレームと、前記本体の側面外郭を成す側板と、前記アンダーフレームに固定され前記側板を締結する締結部と、を備え、前記アンダーフレームに前記締結部に加えて下方へ伸びる支持部を設け、前記側板は上端を内側にむかって略水平に曲げた水平部を形成し、前記水平部の端面より前記支持部が内側となるように前記天板を本体に取り付けるとともに、前記支持部は、前記本体側面を押し込む力を加えた場合に、前記水平部の端面と当接するものである。
【０００７】
これによって、本体外郭に対して側面より押し込む力が加わった場合、側板が内側へ変形しようとするが、側板の上部水平部（水平部）の端面とアンダーフレームの支持部が当接することによって、ビス締め部以外の部分の変形も止めることとなる。
【発明の効果】
【０００８】
本発明の加熱調理器は、本体側面のビス締め部以外の部分の変形も防止することができる。
【図面の簡単な説明】
【０００９】
【図１】本発明の実施の形態１における加熱調理器の分解斜視図
【図２】本発明の実施の形態１における加熱調理器の要部断面図
【図３】本発明の実施の形態２における加熱調理器の要部断面図
【図４】本発明の実施の形態２における加熱調理器の要部断面図
【図５】本発明の実施の形態３における加熱調理器の要部断面図
【図６】本発明の実施の形態３における加熱調理器の要部断面図
【図７】本発明の実施の形態４における加熱調理器の要部断面図
【図８】本発明の実施の形態４における加熱調理器の要部断面図
【発明を実施するための形態】
【００１０】
第１の発明は、本体と、前記本体の天面に配された被加熱調理器具を載置する天板と、前記天板を下方より支持するアンダーフレームと、前記本体の側面外郭を成す側板と、前記アンダーフレームに固定され前記側板を締結する締結部と、を備え、前記アンダーフレームに前記締結部に加えて下方へ伸びる支持部を設け、前記側板は上端を内側にむかって略水平に曲げた水平部を形成し、前記水平部の端面より前記支持部が内側となるように前記天板を前記本体に取り付けるとともに、前記支持部は、前記本体側面を押し込む力を加えた場合に、前記水平部の端面と当接する加熱調理器とすることにより、本体外郭に対して側面より押し込む力が加わった場合でも、側板の上部水平部（水平部）の端面とアンダーフレームの支持部が当接することによって、ビス締め部以外の部分の外郭の変形も防止することができる。
【００１１】
第２の発明は、特に、第１の発明において、前記水平部には上方へ向かって折れ曲がる端部を備え、前記端部より前記支持部が内側となるようにした請求項１に記載の加熱調理器とすることにより、外郭の変形を防止することができる。
また、天板の上で水を溢した場合に、側板の水平部に至った水が上方へ向かって折れ曲がる端部によって堰き止められるため、本体内部へ浸入するのを防止することができる。
【００１２】
第３の発明は、特に、第１または第２の発明の発明において、前記支持部は先端を前記本体の下方内側に向かって曲げた加熱調理器とすることにより、本体に天板を取り付ける時に曲げ部が誘いとなり、支持部が本体外郭に乗り上げることを防止することとなり、組立を容易にすることができる。
【００１３】
第４の発明は、特に、第１〜３のいずれか１つの発明において、前記支持部は前記アンダーフレームと別体の支持体で構成し、前記支持体を前記アンダーフレームと接合した加熱調理器とすることにより、外郭の変形を防止することとあわせて、フレームと支持部の材質や板厚を異なるものとでき、支持部の強度のみを高くすることで、合理的に補強することができる。
【００１８】
以下、本発明の実施の形態について、図面を参照しながら説明する。なお、この実施の形態によって本発明が限定されるものではない。
【００１９】
（実施の形態１）
図１は、本発明の第１の実施の形態における加熱調理器の分解斜視図、図２は本発明の第１の実施の形態における加熱調理器の要部断面図を示すものである。
【００２０】
本実施の形態では、本体は据置型の誘導加熱調理器を示して説明する。
【００２１】
図１、図２において、本体１は、キッチンの流し台など所定の場所に設置され、被加熱調理器具を載置して調理を行うための天板２は、ガラスによって構成され、本体１の天面に配されている。
【００２２】
アンダーフレーム３は天板２の下方より接着によって取り付けられ、本体１と天板２との締結部４を備えている。締結部４はアンダーフレーム３の一部を折り曲げ、あるいはアンダーフレーム３と別部材で構成しアンダーフレーム３に固定されている。
【００２３】
天板２は、略コの字形状のサイドフレーム５で、アンダーフレーム３と共に挟み込んで機械的に保持すると共に、天板２の端面を保護している。
本体の外郭６は、加熱装置、制御基板および冷却装置を内蔵し、上面を開口とした箱型形状としており、本体の外郭６の側面を成す側板７は、上方端面を内側に折り曲げた水平部８を有している。
【００２４】
また、アンダーフレーム３は側板７の水平部８端面の近傍で下方に向かって伸びる支持部９を形成している。
【００２５】
加熱調理器本体１は、天板２を本体の外郭６上方より載せ、側面より側板７とアンダーフレームの締結部４をビスで締結して、天板２と本体の外郭６を固定している。
【００２６】
以上のように構成された加熱調理器について、以下その動作、作用を説明する。
加熱調理器本体１を移動・輸送する場合や、本体を拭くなど清掃する場合において、本体側面を押し込む力を加えてしまうことがある。
【００２７】
このとき、側板７は上方端面がサイドフレーム５の内側に配置しているので、側板７は内側へ変形しようとするが、側板７の変形に対してアンダーフレーム３の支持部が水平部８端面と当接して止めるため、側板７の変形を防止することができ、堅牢性に優れた加熱調理器とすることができる。
【００２８】
（実施の形態２）
図３は、本発明の第２の実施の形態における加熱調理器の要部断面図である。
なお、本実施の形態２の基本構成は実施の形態１と同様であるので、同様な部分の説明は省略し、相違点を中心に説明する。また、実施の形態１と同一要素には同じ符号を付して
その説明を省略する。
【００２９】
図３において、側板７の水平部８は、上方に向かって折り曲げた止水壁２１を有している。
水平部８はサイドフレームの下面２２を当接させており、止水壁２１はサイドフレーム５の端面よりも内側に入り込み、止水壁２１の先端はサイドフレーム５の下面よりも高くしている。
【００３０】
以上のように構成された加熱調理器について、以下その動作、作用を説明する。
【００３１】
加熱調理器本体１を移動・輸送する場合や、本体を拭くなど清掃する場合において、本体側面に押し込む力が加えられた場合、側板７の変形に対して、止水壁２１と支持部９が当接することによって外郭６の変形を防止することができる。
【００３２】
また、天板２の上で被加熱調理物である鍋から水を溢したり、清掃中に水を溢したりした場合を考える。
【００３３】
接着による水密性が確保されていれば、水が天板２の端面まで至ったとしても、水はサイドフレーム５を乗り越えて本体の外部を伝いキャビネット上に流れることとなり、本体内部への水の浸入はない。
【００３４】
しかし、サイドフレーム５などフレーム部品の変形や、接着の不備、接着剤２３の劣化による剥がれなどの不具合が発生した場合、天板２の端面に至った水はサイドフレーム５と天板２の隙間を通り、サイドフレーム５の内側へ侵入する。
【００３５】
浸入した水は、図３の矢印で示すように、サイドフレーム５の内側や天板２表面を伝い、サイドフレームの下面２２に流れる。サイドフレームの下面２２から本体内側へ流れる水は、側板に設けられた止水壁１４で誘導され、水平部８とサイドフレーム５の隙間から、本体１の外側へ向けて流れることになる。
【００３６】
これによって、本体内部への水の浸入を無くし、内部部品の水濡れによる故障、トラッキングなどを防止することができる。
【００３７】
また、図３において、支持部９の先端を本体下方内側に向かって曲げている。これによって、本体１に天板２を上方より取り付ける時、支持部９の曲げ部３１が誘いとなり止水壁の内側へ入りやすくなり、支持部９が本体の外郭６に乗り上げることを防止し、組立を容易にすることができる。
【００３８】
また、図４において、アンダーフレーム３に別体の支持体４１を取り付けて支持部を構成しており、支持体４１はアンダーフレーム３より板厚を増している。
【００３９】
これによって、本体側面に押し込む力が加えられた場合、側板７の変形に対して、止水壁２１と支持体４１が当接することによって外郭の変形を防止することができる。
【００４０】
またアンダーフレーム３と支持体４１で異なる板厚にできるので、局所的に強度を上げることが容易となり、合理的に補強することができる。
【００４１】
また支持部を設けるためのアンダーフレーム３に対する加工（切り起こしなど）が単純化でき、加工性を向上させることができる。
【００４２】
（実施の形態３）
図５は、本発明の第３の実施の形態における加熱調理器の要部断面図、図６は本発明の第３の実施の形態における加熱調理器の要部断面図である。
なお、本実施の形態３の基本構成は実施の形態１と同様であるので、同様な部分の説明は省略し、相違点を中心に説明する。また、実施の形態１と同一要素には同じ符号を付してその説明を省略する。
【００４３】
図５において、側板７は上端に内側に曲げた水平部８を形成し、水平部８に上方へ伸びる凸部５１を設けている。アンダーフレーム３には穴部５２を設け、穴部５２に凸部５１を差し込んで天板を本体に取り付けている。
【００４４】
これによって、本体外郭に対して側面より押し込む力が加わった場合でも、凸部５１と穴部５２の端面が当接することによって、変形を防止することができる。
【００４５】
また本体内部に発光表示部を備え天板２を透過させて天面の表示とするなど、天板２と本体１のズレが課題となる場合があるが、凸部５１と穴部５２の嵌合によって天板２と本体外郭６の位置決めをすることで、天板２と本体１のズレを防止することができる。
【００４６】
また図６において、サイドフレームは下面に下方へ向かって凸部５１を設けている。
側板７は上端を内側に曲がる水平部８を形成し、水平部８に穴部５２を設け、穴部５２に凸部５１を差し込んで天板を本体に取り付けている。この構成においても、図５に示した構成と同様の効果が得られる。
【００４７】
（実施の形態４）
図７は、本発明の第４の実施の形態における加熱調理器の要部断面図、図８は本発明の第４の実施の形態における加熱調理器の要部断面図である。
なお、本実施の形態４の基本構成は実施の形態１または２と同様であるので、同様な部分の説明は省略し、相違点を中心に説明する。また、実施の形態１と同一要素には同じ符号を付してその説明を省略する。
【００４８】
図７において、天板の下方には誘導加熱コイルなどの加熱手段６１を備えており、加熱手段６１は仕切り板６２によって支持され天板２との距離を保っている。
【００４９】
仕切り板６２には、側板７近傍に略鉛直方向に立ち上げた支持部９を設けている。
【００５０】
これによって、本体側面に押し込む力が加えられた場合、側板７の変形に対して、側板７と支持部９が当接することによって外郭６の変形を防止することができる。
【００５１】
また図８において、仕切り板６２には、側板７近傍に別体の支持体４１を構成し、ビス締めによって支持体４１と仕切り板６２が締結されている。
【００５２】
これによって、本体側面に押し込む力が加えられた場合、側板７の変形に対して、側板７と支持体４１が当接することによって外郭６の変形を防止することができる。また仕切り板６２と支持体４１で異なる材質や板厚にできるので、局所的に強度を上げることが容易となり、合理的に補強することができる。
【産業上の利用可能性】
【００５３】
以上のように、本発明にかかる加熱調理器は、側面からの応力に対して、変形を防止することが可能となり、堅牢性に優れたものとできるので、誘導加熱調理器に限らず、加熱調理器全般に有効である。
【符号の説明】
【００５４】
１  本体
２  天板
３  アンダーフレーム
５  サイドフレーム
７  側板
８  水平部
９  支持部
【図１】
0005548945.tif 000002
【図２】
0005548945.tif 000003
【図３】
0005548945.tif 000004
【図４】
0005548945.tif 000005
【図５】
0005548945.tif 000006
【図６】
0005548945.tif 000007
【図７】
0005548945.tif 000008
【図８】
0005548945.tif 000009